(57)【要約】【課題】天井や側壁などに照明器具や配管等があっても、容易それらを避けて設置でき、しかも、吸音効果を向上するようにした吸音パネルの取付構造を提供する。【解決手段】複数枚の吸音パネル１は支持部材２によって支持されており、この支持部材２は吊下具３によって天井４に吊り下げられている。吸音パネル１は、少なくとも両面に多数の孔が形成された金属製のパンチング板に、例えばグラスウール等の吸音材が内蔵されて構成されている。そして、複数の吸音パネル１は、所定方向に等間隔をあけて天井４に対して縦（吸音パネル１が天井４に対して略９０角度をなした状態）に設置されている。【選択図】  図１
2006016864.tif 000002
【特許請求の範囲】
【請求項１】
少なくとも両面に多数の孔が形成され、内部には吸音材が内蔵される、複数枚の吸音パネルを、室内の天井面および側壁面の少なくともいずれかの面に取り付ける取付構造であって、
前記吸音パネルが、取付手段を介して取付面に対し平行でない所定の角度をなして、所定方向に配列されて取り付けられていることを特徴とする吸音パネルの取付構造。
【請求項２】
複数枚の吸音パネルが重ねられた状態と、１枚の吸音パネルの単独状態とが、前記所定方向に交互に配列されている、請求項１記載の吸音パネルの取付構造。
【請求項３】
前記吸音パネルは天井面にのみ取り付けられている、請求項１又は２記載の吸音パネルの取付構造。
【請求項４】
前記吸音パネルが、天井面に対して略垂直状態で取り付けられている、請求項３記載の吸音パネルの取付構造。
【請求項５】
前記取付手段は、
長手方向が天井面に平行に配置され、前記複数枚の吸音パネルのそれぞれの上端部を支持する長手状支持部材と、
前記長手状支持部材を天井面から吊り下げる吊下具と、
を有する、請求項４記載の吸音パネルの取付構造。
【発明の詳細な説明】
【技術分野】
【０００１】
本発明は、室内の反響音の吸音のために用いられる屋内用吸音パネルを、天井や側壁に取付けるための構造に関する。
【背景技術】
【０００２】
屋内での騒音の抑制のためには、一般的には、吸音材としてのグラスウールをグラスクロスで覆ったものを、平面的に天井にじか張りする方法が採られていた。しかし、グラスクロスを天井にじか張りする方法では、天井に照明器具や配管が存在する場合に、それらを避けてグラスクロスを敷設する必要がある。そのため、天井全面にグラスウールを敷設できず、吸音効果が充分でないという問題があった。
【０００３】
そこで、かかる問題を解決するため、平面的な状態で吸音パネルを天井から吊り下げる方法が提案されている（特開２００１−２２７２８９号公報参照）。
【０００４】
【特許文献１】特開２００１−２２７２８９号公報
【発明の開示】
【発明が解決しようとする課題】
【０００５】
しかしながら、上記特許文献１では、天井に照明器具や配管が存在する場合に、それらを避けて吸音パネルを設置することはできても、吸音パネルが平面的に設置されていることから、吸音効果が充分でないという問題があった。
【０００６】
本発明は、上記の実情を鑑みて考え出されたものであり、その目的は、天井や側壁などに照明器具や配管等があっても、容易にそれらを避けて設置でき、しかも、吸音効果を向上するようにした吸音パネルの取付構造を提供することである。
【課題を解決するための手段】
【０００７】
上記目的を達成するために、本発明のうち請求項１記載の発明は、少なくとも両面に多数の孔が形成され、内部には吸音材が内蔵される、複数枚の吸音パネルを、室内の天井面および側壁面の少なくともいずれかの面に取り付ける取付構造であって、吸音パネルが、取付手段を介して取付面に対し平行でない所定の角度をなして、所定方向に配列されて取り付けられていることを特徴とする。
【０００８】
上記構成の如く、吸音パネルを取付面に対し平行でない所定の角度をなして取り付けることにより、平面的に設置する場合に比べて、吸音面積が大きくなるので、吸音効果を増大することができる。また、天井に配管や照明器具等が存在していいても、それらを避けて吸音パネルを設置することが可能となる。なお、「取付面に対し平行でない所定の角度」とは、従来例のように取付面（天井面）に平面的に設置する場合を除くことを意味する。即ち、吸音パネルは、取付面に平面的でなければ、任意の角度で取付けられていてもよい。
【０００９】
また、請求項２記載の発明は、請求項１記載の吸音パネルの取付構造であって、複数枚の吸音パネルが重ねられた状態と、１枚の吸音パネルの単独状態とが、前記所定方向に交互に配列されていることを特徴とする。
【００１０】
上記構成により、吸音パネルを１枚毎に間隔をあけて配列する構成に比べて、吸音効果を増大することができる。
【００１１】
また、請求項３記載の発明は、請求項１又は２記載の吸音パネルの取付構造であって、吸音パネルは天井面にのみ取り付けられていることを特徴とする。
【００１２】
例えば、工場内に吸音パネルを取り付けるような場合、側壁面に取り付けると、室内の使用空間が狭くなるが、これに対して、通常は床と天井面との間はかなり大きいため、吸音パネルを天井面に取り付けても、室内の使用空間が狭くなるという問題は発生しない。
【００１３】
また、請求項４記載の発明は、請求項３記載の吸音パネルの取付構造であって、吸音パネルが、天井面に対して略垂直状態で取り付けられていることを特徴とする。
【００１４】
上記構成により、天井面の設置面積の投影面積当たり、最も多くの吸音パネルを取り付けることができるので、吸音面積を最大にとることができ、吸音効果を増大させることができる。
【００１５】
また、請求項５記載の発明は、請求項４記載の吸音パネルの取付構造であって、取付手段は、長手方向が天井面に平行に配置され、複数枚の吸音パネルのそれぞれの上端部を支持する長手状支持部材と、長手状支持部材を天井面から吊り下げる吊下具とを有することを特徴とする。
【００１６】
上記構成により、天井に、容易に複数枚の吸音パネルを縦に設置することが可能となる。そのため、現地における取付作業の時間が短縮化され、また作業コストの低減を図ることができる。
【発明の効果】
【００１７】
本発明によれば、天井または壁面に対して、複数の吸音パネルをそれぞれ平行でない所定の角度で設置するようにしたので、天井面に配管や照明器具等が存在していいても、それらを避けて吸音パネルを設置することが可能となる。また、従来例のように天井面に平面的（吸音パネル２が天井面に対して略平行状態）に設置する場合に比べて、吸音力が格段に向上する。
【発明を実施するための最良の形態】
【００１８】
以下、本発明に係る吸音パネルの取付構造を実施の形態に基づいて詳述する。なお、本発明は、以下の実施の形態に限定されるものではない。
【００１９】
（実施の形態１）
図１は実施の形態１に係る吸音パネルの取付構造の全体構成を簡略化して示す図であり、図２は吸音パネルの平面図であり、図３は吸音パネルの側面図であり、図４は図２の矢視Ａ−Ａ断面図であり、図５は図２の矢視Ｂ−Ｂ断面図である。図１において、１は吸音パネルであり、これら複数枚の吸音パネル１は長手状支持部材２によって支持されており、この支持部材２は吊下具３によって天井４に吊り下げられている。吸音パネル１は、図２〜図５に示すように、両面１ａ，１ｂ及び下面１ｃに多数の孔５が形成された金属製のパンチング板６に、例えばグラスウール等の吸音材７が内蔵されて構成されている。パンチング板６の下面１ｃは、室内の下側から吸音パネル１を見た場合の外観美を考慮して、半円弧状に形成されている。なお、吸音パネル１の詳細な取付構造は後述する。
【００２０】
ここで注目すべきは、複数の吸音パネル１は、所定方向に等間隔をあけて天井４に対して縦（吸音パネル１が天井４に対して略９０角度をなした状態）に設置されていることである。このように構成することにより、天井４に配管や照明器具等が存在していいても、それらを避けて吸音パネル１を設置することが可能となる。また、従来例のように天井４に平面的（吸音パネル１天井４に対して略平行状態）に設置する場合に比べて、吸音力が格段に向上する。
【００２１】
ここで、上記吸音力の向上に関して、本願発明者は以下の条件で、吸音パネルを図６（１）、（２）に示すように床１０に縦に設置した場合（本発明の設置方法）と、従来例のようにグラスウールの平面貼りの場合（グラスクロス押えの設置方法）とにおける吸音力を測定したので、その実験結果を図７に示す。
・実験条件
【００２２】
（１）残響室の条件
容積：２１６．４ｍ３      表面積：２１３．１ｍ２
温度：２２．１℃          湿度：５０％
【００２３】
（２）使用した吸音パネルの条件
吸音パネル１の長さＬ：３０００ｍｍ      吸音パネル１の高さＨ：５６０ｍｍ
吸音パネル１の厚さＴ：  １００ｍｍ
吸音パネル１の枚数：５枚
吸音パネル１の間隔Ｓ：  ６２５ｍｍ
設置範囲の面積：３．０×３．０＝９．０ｍ２
【００２４】
（３）使用したグラスクロス押えの条件
グラスウールの厚さ：  ５０ｍｍ
【００２５】
（４）測定方法
１２５Ｈｚ、２５０Ｈｚ、５００Ｈｚ、１０００Ｈｚ、２０００Ｈｚ、４０００Ｈｚ、８０００Ｈｚの６種類の中心周波数の音源を使用して、吸音力をそれぞれ測定した。
【００２６】
（実験結果）
図７のラインＭ１が縦に設置した場合の測定値であり、ラインＭ２がグラスクロス押えの場合の測定値である。図７より明らかなように、全ての周波数帯域において、縦に設置した場合の方が、吸音力が大きいことが認められる。
【００２７】
これは、以下の理由によるものと考えられる。即ち、天井面に平面的に設置した場合の設置範囲と同一の範囲に、複数の吸音パネル１を縦に設置すると、平面的設置の場合に比べて吸音面積が大となるからである。また、複数の吸音パネル１を縦に設置すると、内壁に凹凸が存在する室内空間が現出することになり、そのため、反響音の回折等の現象が生じるので、凹凸のないフラットな内壁で構成される室内空間に比べて、反響音の吸音力が向上するものと考えられる。
【００２８】
図８は天井に吸音パネルを取付けた状態を示す正面図であり、図９はその平面図であり、図１０はその側面図であり、図１１は支持部材と天井との取付け状態を示す断面図であり、図１２は支持部材と吸音パネルとの取付け状態を示す斜視図であり、図１３は支持部材と吸音パネルとの取付け付近の正面図であり、図１４は図１３の左側から見た側面図であり、図１５は図１３の上方から見た平面図である。
【００２９】
以下、図８〜図１５を参照して、複数の吸音パネル１の天井４に取付ける具体的な取付構造を詳述する。
【００３０】
複数の吸音パネル１を支持する複数の長手状支持部材２は、天井４と平行に配置されるとともに、相互に平行であって、複数の吊下具３によって天井４から吊り下げられている。吸音パネル１は、隣接する支持部材２間に配置され、その側面上部付近で支持部材２によって支持されている。この支持部材２は、図１３に示すように、上面２ａと、下面２ｂと、上面２ａと下面２ｂとを連結する立上面２ｃとからなり、大略的に軸直角断面がコ字状に形成されている。この支持部材２の立上面２ｃには、長手方向に等間隔をあけて取付孔２ｄが形成されている（図８参照）。また、吸音パネル１の側面１ｅには、取付孔２ｄに対応して取付孔１ｄが形成されている（図１２参照）。そして、ボルト２０が取付孔２ｄ、取付孔１ｄを挿通してナット２１に螺合している（図１３参照）。このような構成は吸音パネル１の両側面においてそれぞれなされており、これにより、吸音パネル１が支持部材２に固定されている。
【００３１】
また、吊下具３は両端部にねじが刻設された吊ボルトによって実現され、この吊下具３の上端は、図１１に示すように、Ｌ字状固定金具２２のねじ孔２２ａに螺合している。Ｌ字状固定金具２２の基部を挿通するボルト２３は、天井４内に予め挿入されている袋ナット２４に螺合している。これにより、吊下具３は、その先端部が天井４に固定された状態となっている。そして、吊下具３の下端部は、図１２及び図１３に示すように、支持部材２の上面２ａに形成されている長孔２ｃを挿入してナット３０によって固定されており、支持材２は吊下具３を介して天井４に吊り下げられた状態となっている。これにより、複数の吸音パネル１が支持部材２によって支持された状態で、吊下具３を介して天井４に固定されることになる。
【００３２】
なお、吸音パネル１を支持部材２に固定するに際しては、図１２〜図１５に示すように、取付金具２５により仮固定できるようになっている。即ち、取付金具２５には長孔２５ｃが形成されており、この長孔２５ｃを挿通するボルト２６の締結を緩くしておき、吸音パネル１と支持部材２とを仮固定して、吸音パネル１を支持部材２に対して前後方向に移動させて、位置調整した後、ボルト２６を強固に締結することができるようになっている。なお、このような調整は、吸音パネル１の両側面それぞれの取付けの際に行われる。
【００３３】
このようにして、上記取付構造を用いることにより、現地において容易に複数の吸音パネル１を天井４に取り付けることが可能となる。
【００３４】
(実施の形態２)
上記実施の形態１では、１枚の吸音パネル毎に間隔をあけて所定方向に配列したけれども、吸音パネル１を複数枚重ねた状態と、１枚の吸音パネルの単独状態とが、所定方向に交互に配列するようにしてもよい。このように配列することにより、吸音力をさらに増大することができる。
【００３５】
この点については、本願発明者は、図１６（１）、（２）に示すように、吸音パネル１を２枚重ねた状態と、１枚の吸音パネルの単独状態とを、交互に配列した場合についても、上記実施の形態１における実験と同様の実験を行ったので、その実験結果を図７に示す。
図７のラインＭ３が、２枚重ねた状態と１枚の状態とを交互に配列した場の測定値である。図７より明らかなように、全ての周波数帯域において、縦に設置した場合（ラインＭ１）よりも交互に配列した場合（Ｍ３）の方が、吸音力が大きいことが認められる。従って、吸音力の増大のためには、吸音パネル１を複数枚重ねた状態と、１枚の吸音パネルの単独状態とが、所定方向に交互に配列する構成とするが、望ましい。
【００３６】
（その他の事項）
（１）本発明は、天井に対して略垂直に複数の吸音パネルが配置される構造に限定さるものではなく、天井に対して平行でない所定の角度を成すように適宜配置するようにしてもよい。なお、吸音パネル１を所定角度で取付けためには、例えば、図１７に示すように、吸音パネル１の両側面をそれぞれ２つのボルト４０によって支持部材２に締結する。ここで、２つのボルト４０を結ぶ直線Ｇ１と天井面４に平行な仮想直線Ｇ２との成す角度θが、吸音パネル１の取付角度となるように、２つのボルト４０を配置すればよい。
【００３７】
（２）上記の例では、吸音パネルは天井に設置されたけれども、側壁に設けるようにしてもよい。
【００３８】
（３）本発明は吸音効果に加えて、遮音効果も達成することができる。即ち、吸音パネルを縦に設置した場合、室内の下方から天井に向けて伝達する音が吸音パネル間を通過することにより吸音されることから、天井を介して上方に伝達する音が遮音されることにもなる。即ち、本発明の吸音パネルの主たる効果は、室内の反響音を吸音する効果を向上することにあるが、吸音効果に加えて副次的に遮音の効果も奏することになる。なお、遮音の効果を挙げるためには、隣接する吸音パネルの間隔を小さくすればよい。なぜなら、そのようにすれば、サイレンサーを設置したことと等価なものとみなされることになるからである。
【００３９】
（４）また、上記の例では、吸音パネルは一方向に等間隔で配置されたけれども、本発明はこれに限定されるものではなく、千鳥格子状やその他任意の配列であってもよく、また、吸音パネルの間隔は等間隔でなく、任意の間隔とするようにしてもよい。このような吸音パネルの配列・配置は、吸音パネルの支持部材に取付ける取付位置を変えれば容易に実現することができる。これによって、吸音効果を低下させることなく、配列・配置の自由度の高い吸音パネルの設置が可能となる。
【産業上の利用可能性】
【００４０】
本発明は、屋内用吸音パネルの取付構造に好適に実施することができる。
【図面の簡単な説明】
【００４１】
【図１】実施の形態１に係る吸音パネルの取付構造の全体構成を簡略化して示す図である。
【図２】吸音パネルの平面図である。
【図３】吸音パネルの側面図である。
【図４】図２の矢視Ａ−Ａ断面図であり、
【図５】図２の矢視Ｂ−Ｂ断面図である。
【図６】実施の形態１における、残響室内での吸音パネルの配置状態を示す図であり、そのうち、図６（１）は吸音パネルの配置状態の平面図、図６（２）は吸音パネルの配置状態の正面図である。
【図７】実験結果を示すグラフである。
【図８】天井に吸音パネルを取付けた状態を示す正面図である。
【図９】天井に吸音パネルを取付けた状態を示す平面図である。
【図１０】天井に吸音パネルを取付けた状態を示す側面図である。
【図１１】支持部材と天井との取付け状態を示す断面図である。
【図１２】支持部材と吸音パネルとの取付け状態を示す斜視図である。
【図１３】支持部材と吸音パネルとの取付け付近の正面図である。
【図１４】図１３の左側から見た側面図である。
【図１５】図１３の上方から見た平面図である。
【図１６】実施の形態２における、残響室内での吸音パネルの配置状態を示す図であり、そのうち、図１６（１）は吸音パネルの配置状態の平面図、図１６（２）は吸音パネルの配置状態の正面図である。
【図１７】吸音パネルを所定角度で取付けた状態を示す図である。
【符号の説明】
【００４２】
１：吸音パネル                    ２：支持部材
３：吊下具                        ４：天井
５：孔                            ７：吸音材
【図１】
2006016864.tif 000003
【図２】
2006016864.tif 000004
【図３】
2006016864.tif 000005
【図４】
2006016864.tif 000006
【図５】
2006016864.tif 000007
【図６】
2006016864.tif 000008
【図７】
2006016864.tif 000009
【図８】
2006016864.tif 000010
【図９】
2006016864.tif 000011
【図１０】
2006016864.tif 000012
【図１１】
2006016864.tif 000013
【図１２】
2006016864.tif 000014
【図１３】
2006016864.tif 000015
【図１４】
2006016864.tif 000016
【図１５】
2006016864.tif 000017
【図１６】
2006016864.tif 000018
【図１７】
2006016864.tif 000019